(57)【要約】【課題】観測位置の移動や表示モジュールの角度変更を行わなくてもチェンジング画像が享受できる携帯電話機を提供する。【解決手段】携帯電話機１００は、筐体１０１と、表示部１０３と、表示部１０３の表示面上に配設されたレンチキュラレンズ１０４と、表示部１０３の表示面とは反対側の面に配設された振動源１０２と、レンチキュラレンズ１０４と筐体１０１との間に隙間を形成することで遊びをもたせ、レンチキュラレンズ１０４をゆるく保持する保持部１０５と、を備える。【選択図】図１
2010230750.tif 000002
【特許請求の範囲】
【請求項１】
筐体と、
表示部と、
前記表示部の表示面上に配設されたレンチキュラレンズと、
前記表示部の表示面とは反対側の面に配設された振動源と、
前記レンチキュラレンズと前記筐体との間に隙間を形成することで遊びをもたせ、前記レンチキュラレンズをゆるく保持する保持部と、を備える
携帯電話機。
【請求項２】
前記振動源は、前記筐体により支持され、前記表示部の表示面の反対側の面に振動を伝える
請求項１に記載の携帯電話機。
【請求項３】
前記表示部は、２つの画像を前記レンチキュラレンズの表面形状の周期に対応する幅で交互にスリット状に組合せた画像を表示する
請求項１又は請求項２に記載の携帯電話機。
【請求項４】
スピーカを備え、
前記振動源は、前記スピーカからの音と同期して振動を発生させる
請求項１乃至請求項３のいずれか１項に記載の携帯電話機。
【請求項５】
前記表示部は、表示を書換え可能である
請求項１乃至請求項４のいずれか１項に記載の携帯電話機。
【発明の詳細な説明】
【技術分野】
【０００１】
本発明は、表示部の表示面上にレンチキュラレンズを設けた携帯電話機に関するものである。
【背景技術】
【０００２】
従来、図７に示すようなレンチキュラ表示モジュールの構成において、図８に示すように観測位置の移動や表示モジュールの角度変更によりチェンジング画像の変化を享受している。また、レンチキュラレンズを用い、チェンジング画像を享受する従来技術には、例えば特許文献１のように、チェンジング表示部を支持する枠体と枠体を鋭角的に首振り自在に支承する支承部を首振り自在に回動させる駆動部と組み合わせ、表示部を傾けることで画像の変化を形成させる方式が知られている。あるいは、特許文献２のように、プリズムシートと光源を用い、異なる平面画像を組合せることで画像の変化を形成させる方式が知られている。
【特許文献１】実用新案登録第３１４４１９１号公報
【特許文献２】国際公開第２００４／０２７４９２号
【発明の開示】
【発明が解決しようとする課題】
【０００３】
しかしながら、特許文献１においては表示部を傾ける為の仕組みが必要であったり、特許文献２においては、光源に加え、光源と平面画像を同期させる為の同期駆動手段が必要となる課題がある。
【０００４】
本発明は、このような問題点を解決し、観測位置の移動や表示モジュールの角度変更を行わなくてもチェンジング画像が享受できる携帯電話機を提供することを目的とする。
【課題を解決するための手段】
【０００５】
前記従来の課題を解決するため、本発明の携帯電話機は、筐体と、表示部と、前記表示部の表示面上に配設されたレンチキュラレンズと、前記表示部の表示面とは反対側の面に配設された振動源と、前記レンチキュラレンズと前記筐体との間に隙間を形成することで遊びをもたせ、前記レンチキュラレンズをゆるく保持する保持部と、を備えるようにした。
【発明の効果】
【０００６】
本発明の構成によれば、観測者の視点を変えることなく、画像のチェンジングを簡易に享受することができる。
【発明を実施するための最良の形態】
【０００７】
以下に、本発明の実施の形態について、図面を参照しながら説明する。
【０００８】
（実施の形態１）
図１は本発明の実施の形態１における携帯電話機１００の斜視図である。図１（ａ）に示すように、携帯電話機１００は筐体１０１を有し、筐体１０１の外面には、レンチキュラレンズ表示モジュール２０１が設けられている。図１（ｂ）に示すように、このレンチキュラレンズ表示モジュール２０１は、レンチキュラレンズ１０４と、振動源１０２と、表示部１０３とが一体形成されている。
【０００９】
レンチキュラレンズ１０４は、モジュールの最上部に位置する。すなわち、レンチキュラレンズ１０４は、表示部１０３の表示面上に配設されている。レンチキュラレンズ１０４のサイズは例えば、縦９０ｍｍ×横４５ｍｍである。また、レンチキュラレンズ１０４の厚さは、例えば、０．５〜１．３ｍｍ程度である。
【００１０】
表示部１０３は、画像を書換えられることを特徴とする電子ペーパーや液晶表示部等であり、モジュールの中段に位置する。表示部１０３のサイズは、レンチキュラレンズ１０４とほぼ同サイズであり、例えば、縦９０ｍｍ×横４５ｍｍである。
【００１１】
振動源１０２としては、パネルスピーカ、モータ、バイブレータ等を用いることができる。振動源１０２は、表示部１０３の下側、モジュール内の最下段に位置する。振動源１０２（パネルスピーカ、モータ、バイブレータ等）から発生する振動の周波数は、１００Ｈｚから８００Ｈｚまでとなる。なお、振動源１０２は、筐体１０１に直接固定してもよいし、筐体１０１に間接的に支持されるようにしてもよい。いずれにしても、振動源１０２は、表示部１０３の表示面とは反対側の面に振動を伝えるように配設される。
【００１２】
図２は、携帯電話機１００の筐体１０１へのレンチキュラレンズ表示モジュール２０１の保持方法の一例を示している。図２に示すように、携帯電話機１００の筐体１０１の四隅に保持部１０５を設け、各保持部１０５においてはレンチキュラレンズ表示モジュール２０１との間にわずかな隙間を形成することで遊びをもたせ、ゆるく保持するようにする。このようにゆるく保持することにより、レンチキュラレンズ１０４が十分に振動することと、レンチキュラレンズ１０４等が携帯電話機１００の筐体１０１に保持されることとの両立を図っている。
【００１３】
図３及び図４は本実施の形態１の携帯電話機１００のブロック構成を示している。
【００１４】
図３に示す構成では、携帯電話機１００は、レンチキュラレンズ表示モジュール２０１と、無線部２０２と、制御部２０３と、カメラ２０４と、メイン表示部２０５と、操作部２０６と、を有する。図３の構成では、携帯電話機１００は、レンチキュラレンズ表示モジュール２０１に振動源１０２を兼ねるパネルスピーカなどのスピーカ３０９を直接取り付けることで、レンチキュラレンズ表示モジュール２０１のレンチキュラレンズ１０４を振動するようにしている。
【００１５】
図４に示す構成では、図３に示す構成に対して、変換部３０７を加えるとともに、レンチキュラレンズ表示モジュール２０１に振動源１０２を取り付けるのとは別に、スピーカ３０９を設けている。図４に示す構成では、スピーカ３０９はレンチキュラレンズ表示モジュール２０１には直接取り付けられてはいない。
【００１６】
図４に示すブロック構成においては、変換部３０７が、新たに設けられた振動源１０２の機能を持たない聴取用のスピーカ３０９と振動源１０２との間に設けられている。変換部３０７は、音圧や音の周波数の変化を感知する。また、変換部３０７は、その変化値に伴って予め定められた内容の振動を振動源１０２に指示する。これにより、スピーカ３０９を音源と振動源１０２とに兼ねた場合の音圧や音の周波数に依存する画像変化を、それに依存することなくコントロールすることで音源の変化要素に捉われずに、音と同期をした画像変化を享受することができるようにしている。
【００１７】
表示部１０３は、書換え可能な表示デバイス（例えば、電子ペーパー、ＬＣＤ（液晶表示部）等）で構成されている。
【００１８】
レンチキュラレンズ表示モジュール２０１は、印刷や画像を表示するための表示部と画像を立体視させるためのレンチキュラレンズ１０４と、レンチキュラレンズ１０４と表示部１０３とを振動させる振動源（パネルスピーカ、バイブレータ、モータ等）１０２と、表示部１０３とを有している。
【００１９】
無線部２０２は、高周波増幅、周波数変換、中間周波数（ＩＦ）増幅、自動利得制御（ＡＧＣ）等の処理によるＩＦ信号を出力する無線受信部、及びセル基地局へ無線信号を送出する周波数変換や電力増幅を行う無線送信部や受信電界強度を検出する受信電界強度検出（ＲＳＳＩ）回路、及び、送受信周波数を決定するための高速切替シンセサイザ（ＤＬＰＳ）等を備えている。
【００２０】
制御部２０３は、ＣＰＵ、ブートプログラムや制御プログラムを格納したＲＯＭ、ワーキング用のＲＡＭ、入出力部（Ｉ／Ｏ）等で構成される。この制御部２０３は、各部に対する表示部１０３にかかる処理制御を実行し、表示部１０３の変更設定にかかる操作及び処理、及び視覚的な確認を容易に行うための制御を実行する。
【００２１】
カメラ２０４は、像を撮影する為の受像素子やレンズ、画像処理回路などで構成されている。
【００２２】
メイン表示部２０５は、電話帳やメールを表示する為の液晶パネルや液晶をドライブさせるための回路で構成されている。
【００２３】
操作部２０６は、電源オン又はオフ、オンフック、オフフック、機能選択や電話番号の入力操作等を行うためのキーパッド等で構成されている。
【００２４】
変換部３０７は、制御部２０３からのＡＵＤＩＯ信号の周波数の変化を感知し、その変化を元に予め設定された振動周波数や振動パターンを振動源に指示する回路で構成されている。
【００２５】
スピーカ３０９は、制御部２０３からのＡＵＤＩＯ信号を音に変換する回路で構成されている。
【００２６】
以上のように構成された携帯電話機１００において、振動源１０２で発生する振動がレンチキュラレンズ１０４に伝わることで、レンチキュラレンズ１０４に音と連動した振動（例えば、図５に示すようなたわみ振動）が発生し、観測者の視点とレンチキュラレンズ１０４の角度の変化がおきることにより、表示部１０３に表示されている画像を、観測視点やパネル全体の角度を変えることなく、変化しているように見せることができる。従来の方式では、観測視点の角度や（特許文献１のように）表示部全体の角度を変えなければならいのに対し、本実施の形態１では、レンチキュラレンズ１０４を振動させることで、観測視点からの観測角度を変化させる為、回動させるための仕組みや（特許文献２のような）平面画像を組合せて画像変化を享受する為の仕組みを必要とせず、また音との連動、同期をさせる事ができる効果がある。また加えて、画像買換え可能な表示部１０３を用いることにより、単一の画像ではなく多種のチェンジグ画像（画像の変化）を簡易に享受することが可能となる。
【００２７】
例えば、上記構成のレンチキュラレンズ表示モジュール２０１を作成し、振動源（バイブレータ等）からの振動周波数を７００Ｈｚで実験を行い、表示された元画像が観測位置の移動や表示モジュールの角度変更を行わなくても、レンチキュラレンズ１０４が振動する（例えば、たわみ振動する）ことにより振動を与える前の画像と異なった画像、いわゆるチェンジング画像が見えることを確認することができる。
【００２８】
具体的には、図６に示すように、画像Ａと画像Ｂとがスリット化され合体した画像を用いた。すなわち、表示部１０３は、画像Ａ及び画像Ｂの２つの画像をレンチキュラレンズ１０４の表面の凸形状の周期に対応する幅で交互にスリット状に組合せた画像を表示する。振動を加える前は、見る角度によって、画像Ａ又は画像Ｂのどちらかが見えている。この状態から振動を加えることにより、人間の目で見た場合には、残像効果により、画像ＡとＢとが重なった画像が確認され、高速カメラで撮影すると、画像ＡとＢとが１／７００秒周期で切り替わっている状態が確認される。
【００２９】
以上説明したように、本実施の形態１の携帯電話機は、レンチキュラレンズと、平面スピーカ等の振動源と、書換え可能な表示部と、を組合せることにより、観測者の視点を変えることなく、画像のチェンジング、チェンジング画像の書換え、音との連動等を簡易にできるようにするものである。
【産業上の利用可能性】
【００３０】
本発明の携帯電話機は、観測者の視点を変えることなく、画像のチェンジングを簡易に享受することができるので、面白みのある携帯電話機として有用である。
【図面の簡単な説明】
【００３１】
【図１】本発明の実施の形態１の携帯電話機及びレンチキュラレンズ表示モジュールの斜視図（ａ）携帯電話機の斜視図（ｂ）レンチキュラレンズ表示モジュールの斜視図
【図２】本発明の実施の形態１の携帯電話機におけるレンチキュラレンズ表示モジュールの保持方法の一例を示す図
【図３】本発明の実施の形態１の携帯電話機のブロック図
【図４】本発明の実施の形態１の携帯電話機の他の構成のブロック図
【図５】本発明の実施の形態１の携帯電話機におけるレンチキュラレンズ表示モジュールの動作を説明する図
【図６】本発明の実施の形態１の携帯電話機におけるレンチキュラレンズ表示モジュールに表示される画像の一例を示す図
【図７】従来のレンチキュラレンズモジュールの斜視図
【図８】従来のレンチキュラレンズモジュールの方式を示す図
【符号の説明】
【００３２】
１００    携帯電話機
１０１    筐体
１０２    振動源
１０３    表示部
１０４    レンチキュラレンズ
１０５    保持部
２０１    レンチキュラレンズ表示モジュール
２０２    無線部
２０３    制御部
２０４    カメラ
２０５    メイン表示部
２０６    操作部
３０７    変換部
３０９    スピーカ
【図１】
2010230750.tif 000003
【図２】
2010230750.tif 000004
【図３】
2010230750.tif 000005
【図４】
2010230750.tif 000006
【図５】
2010230750.tif 000007
【図６】
2010230750.tif 000008
【図７】
2010230750.tif 000009
【図８】
2010230750.tif 000010